【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
図柄変動表示を少なくとも実行可能な図柄表示手段と、
予告を少なくとも実行可能な予告手段と、
先読み予告を少なくとも実行可能な先読み予告手段と、
表示が可能な表示手段と、
を備えた遊技台であって、
前記表示手段は、前記予告を表示する予告手段として少なくとも動作可能であり、
前記表示手段は、前記先読み予告を表示する先読み予告手段として少なくとも動作可能であり、
前記表示手段は、前記予告の信頼度を示唆する部分のうちの少なくとも一部を隠すように、前記先読み予告を表示可能であり、
前記予告は、文字画像及びキャラクタ画像の少なくとも一方を含むこと
を特徴とする遊技台。
【請求項２】
請求項１に記載の遊技台であって、
前記予告は、前記文字画像及び前記キャラクタ画像の少なくとも一方に前記信頼度を示唆する部分を含んで表示されること
を特徴とする遊技台。
【請求項３】
請求項１または２に記載の遊技台であって、
前記先読み予告手段は、前記先読み予告を連続予告として実行可能であること
を特徴とする遊技台。
【請求項４】
請求項１乃至３のいずれか１項に記載の遊技台であって、
前記図柄表示手段は、当否判定の結果に対応する図柄態様を、図柄の変動表示を行った後に停止表示し、
前記先読み予告手段は、前記先読み予告の対象になる当否判定の結果が特定の当否判定結果となる場合であり、且つ第一の先読み予告条件が成り立った場合に、少なくとも前記先読み予告を実行可能であること
を特徴とする遊技台。
【請求項５】
請求項４に記載の遊技台であって、
前記第一の先読み予告条件は、第一の予告抽選に当選した場合に、少なくとも成立すること
を特徴とする遊技台。
【請求項６】
請求項１乃至５のいずれか１項に記載の遊技台であって、
前記先読み予告手段は、前記先読み予告の対象になる当否判定の結果が特定の当否判定結果とは別の当否判定結果となり、且つ第二の先読み予告条件が成り立った場合に、前記先読み予告を実行可能であること
を特徴とする遊技台。
【請求項７】
請求項６に記載の遊技台であって、
前記第二の先読み予告条件は、第二の予告抽選に当選した場合に、少なくとも成立すること
を特徴とする遊技台。
【請求項８】
請求項１乃至７のいずれか１項に記載の遊技台であって、
前記先読み予告は、所定の確率で実行されること
を特徴とする遊技台。
【請求項９】
請求項１乃至８のいずれか１項に記載の遊技台であって、
前記図柄表示手段を少なくとも制御可能な制御手段を備え、
前記制御手段は、当否判定を実行可能な当否判定手段を少なくとも含む第一の制御手段であり、
前記第一の制御手段からのコマンドに基づいて制御を少なくとも実行可能な第二の制御手段を備え、
前記第二の制御手段は、前記第一の制御手段とは別基板に設けられており、
前記第二の制御手段は、前記先読み予告を行うかどうかを判定する判定手段を少なくとも含み、
前記先読み予告手段は、前記判定手段が前記先読み予告を行うと判定した場合に前記先読み予告を実行可能であること
を特徴とする遊技台。
【請求項１０】
請求項１乃至９のいずれか１項に記載の遊技台であって、
前記先読み予告は、前記連続予告ではなく、一回の前記図柄変動表示中に開始されて終了される単発予告としても実行可能であること
を特徴とする遊技台。
【請求項１１】
請求項１０に記載の遊技台であって、
前記単発予告は、前記先読み予告の対象になる当否判定の結果に対応する図柄態様を停止表示する図柄変動表示中に実行可能であること
を特徴とする遊技台。
【請求項１２】
請求項３乃至１１のいずれか１項に記載の遊技台であって、
前記連続予告は、前記先読み予告の対象になる当否判定の結果に対応する図柄態様を停止表示する図柄変動表示を含む複数回の図柄変動表示で少なくとも実行可能であること
を特徴とする遊技台。
【請求項１３】
請求項３乃至１２のいずれか１項に記載の遊技台であって、
前記連続予告は、前記先読み予告の対象になる当否判定の結果に対応する図柄態様を停止表示する図柄変動表示が行われている期間中に終了すること
を特徴とする遊技台。
【請求項１４】
請求項３乃至１３のいずれか１項に記載の遊技台であって、
前記連続予告は、複数回の図柄変動表示中に、同一の態様による予告表示が行われること
を特徴とする遊技台。
【請求項１５】
請求項１４に記載の遊技台であって、
前記連続予告は、複数回の図柄変動表示中に、前記予告表示が継続的に行われること
を特徴とする遊技台。
【請求項１６】
請求項１４または１５に記載の遊技台であって、
前記予告表示は、消去条件が成立している期間中は消去され、当該期間が終了したことに応じて復帰表示されること
を特徴とする遊技台。
【請求項１７】
請求項３乃至１６のいずれか１項に記載の遊技台であって、
前記連続予告は、第一の図柄変動条件が成立した際に、少なくとも開始されること
を特徴とする遊技台。
【請求項１８】
請求項３乃至１７のいずれか１項に記載の遊技台であって、
前記連続予告は、第二の図柄変動条件が成立した際に、少なくとも開始されること
を特徴とする遊技台。
【請求項１９】
請求項１７または１８に記載の遊技台であって、
前記第一の図柄変動条件は、第一の始動領域に入球した場合に、少なくとも成立し、
前記第二の図柄変動条件は、第二の始動領域に入球した場合に、少なくとも成立すること
を特徴とする遊技台。
【手続補正２】
【補正対象書類名】明細書
【補正対象項目名】０００６
【補正方法】変更
【補正の内容】
【０００６】
上記目的は、図柄変動表示を少なくとも実行可能な図柄表示手段と、予告を少なくとも実行可能な予告手段と、先読み予告を少なくとも実行可能な先読み予告手段と、表示が可能な表示手段と、を備えた遊技台であって、前記表示手段は、前記予告を表示する予告手段として少なくとも動作可能であり、前記表示手段は、前記先読み予告を表示する先読み予告手段として少なくとも動作可能であり、前記表示手段は、前記予告の信頼度を示唆する部分のうちの少なくとも一部を隠すように、前記先読み予告を表示可能であり、前記予告は、文字画像及びキャラクタ画像の少なくとも一方を含むことを特徴とする遊技台によって達成される。
【手続補正３】
【補正対象書類名】明細書
【補正対象項目名】０３１５
【補正方法】変更
【補正の内容】
【０３１５】
さらに、本発明は、遊技台としてパチンコ機およびスロットマシンを例にあげたが、これに限るものではなく、アレンジボール遊技機や、じゃん球遊技機、スマートボール等に適用してもよい。
上記実施の形態の遊技台は、例えば以下のように表現される。
（付記１）遊技球が始動領域に進入した場合に、始動情報を導出する始動情報導出手段と、前記導出した始動情報を所定の上限数まで記憶可能な始動情報記憶手段と、前記始動情報記憶手段から始動情報を取得する始動情報取得手段と、前記取得した始動情報に基づいて当否判定を行う当否判定手段と、前記当否判定の結果が特定の当否判定結果である場合に、遊技者に対する有利度が第一の有利度である第一の制御状態から該第一の有利度と有利度が異なる第二の有利度である第二の制御状態に制御状態を移行させる制御状態移行手段と、図柄を変動表示させた後、前記当否判定の結果に対応した図柄態様を停止表示する図柄変動停止表示を行う図柄表示手段と、前記当否判定結果に基づき前記当否判定手段が前記特定の当否判定結果を導出するかどうかを予告する予告報知を行う予告手段と、前記当否判定手段が当否判定を行うよりも前に、前記始動情報記憶手段に記憶されている始動情報を先読みする始動情報先読手段と、前記始動情報記憶手段に記憶されている所定の始動情報に基づく当否判定が前記当否判定手段によって行なわれるよりも前に、前記始動情報先読手段によって先読みされた該所定の始動情報に基づいて該当否判定手段が前記特定の当否判定結果を導出するかどうかを事前判定する事前判定手段と、前記事前判定結果に基づいて、前記当否判定手段が前記特定の当否判定結果を導出することを事前予告するための事前予告報知を、前記当否判定手段が当否判定を行うよりも前に行う事前予告手段と、を備えた遊技台であって、前記予告報知および前記事前予告報知を報知するように構成されていると共に、前記予告報知の前面側に前記事前予告報知を表示する表示手段を有することを特徴とする遊技台。
（付記２）付記１に記載の遊技台であって、前記事前予告報知が行われる場合の前記図柄変動停止表示に関して所定条件が成立する場合は、前記予告報知および前記事前予告報知のうちの少なくとも一方を不明瞭に表示することを特徴とする遊技台。
（付記３）付記１または２に記載の遊技台であって、前記予告報知及び前記事前予告報知のうちの少なくとも一方は、半透明に表示されることを特徴とする遊技台。
（付記４）付記２または３に記載の遊技台であって、前記事前予告報知が行われる場合の前記図柄変動停止表示に関して前記所定条件が不成立の場合には、前記事前予告報知により前記予告報知の一部を隠蔽することを特徴とする遊技台。
（付記５）付記２乃至４のいずれか１項に記載の遊技台であって、前記図柄変動停止表示には、第一の信頼度となる第一リーチ演出と、前記第一の信頼度よりも高い第二の信頼度となる第二リーチ演出とを備えてなり、前記所定条件は、前記図柄変動停止表示として前記第二リーチ演出の実行が決定されることを特徴とする遊技台。
（付記６）付記５に記載の遊技台であって、信頼度の異なる前記予告報知が複数種類備えられていると共に、複数の前記予告報知は、共通となる部分と、非共通となる部分とでそれぞれ構成されてなり、前記所定条件不成立の場合には、前記事前予告報知は、前記非共通となる部分を隠蔽することを特徴とする遊技台。
（付記７）遊技球が始動領域に進入した場合に、始動情報を導出する始動情報導出手段と、前記導出した始動情報を所定の上限数まで記憶可能な始動情報記憶手段と、前記始動情報記憶手段から始動情報を取得する始動情報取得手段と、前記取得した始動情報に基づいて当否判定を行う当否判定手段と、前記当否判定の結果が特定の当否判定結果である場合に、遊技者に対する有利度が第一の有利度である第一の制御状態から該第一の有利度と有利度が異なる第二の有利度である第二の制御状態に制御状態を移行させる制御状態移行手段と、図柄を変動表示させた後、前記当否判定の結果に対応した図柄態様を停止表示する図柄変動停止表示を行う図柄表示手段と、前記当否判定結果に基づき前記当否判定手段が前記特定の当否判定結果を導出するかどうかを予告する予告報知を行う予告手段と、前記当否判定手段が当否判定を行うよりも前に、前記始動情報記憶手段に記憶されている始動情報を先読みする始動情報先読手段と、前記始動情報記憶手段に記憶されている所定の始動情報に基づく当否判定が前記当否判定手段によって行なわれるよりも前に、前記始動情報先読手段によって先読みされた該所定の始動情報に基づいて該当否判定手段が前記特定の当否判定結果を導出するかどうかを事前判定する事前判定手段と、前記事前判定結果に基づいて、前記当否判定手段が前記特定の当否判定結果を導出することを事前予告するための事前予告報知を、前記当否判定手段が当否判定を行うよりも前に行う事前予告手段と、を備えた遊技台であって、前記予告報知および前記事前予告報知を報知するように構成されていると共に、前記予告報知の前面側に前記事前予告報知を表示する表示手段を有し、前記図柄変動停止表示は、第一の信頼度となる第一演出と、前記第一の信頼度よりも高い第二の信頼度となる第二演出を備え、信頼度の異なる前記予告報知を複数種類備えると共に、複数の前記予告報知は、前記信頼度を示唆する部分を有し、前記図柄変動停止表示において前記第一演出を実行する場合には、前記事前予告報知は、前記信頼度を示唆する部分を隠蔽することを特徴とする遊技台。
（付記８）付記７に記載の遊技台であって、複数の前記予告報知は、互いに非共通となる部分をそれぞれ有し、前記非共通となる部分は、前記信頼度を示唆する部分であることを特徴とする遊技台。
（付記９）付記７または８に記載の遊技台であって、前記第二演出を実行する場合は、前記事前予告報知は前記予告報知における前記信頼度を示唆する部分を視認可能に構成したことを特徴とする遊技台。
（付記１０）付記９に記載の遊技台であって、前記事前予告報知の実行を規制する、または、前記事前予告報知を半透明に表示することで前記信頼度を示唆する部分を視認可能に構成したことを特徴とする遊技台。
（付記１１）付記７乃至１０のいずれか１項に記載の遊技台であって、前記予告報知は、文字画像およびキャラクタ画像の少なくともいずれか一方を含んで構成されていることを特徴とする遊技台。
（付記１２）遊技球が始動領域に進入したことに基づいて生成した始動情報を記憶可能な始動情報記憶手段と、前記始動情報記憶手段に記憶されている始動情報を取得し、取得した始動情報に基づいて当否判定を行って当否判定結果を導出する当否判定手段と、図柄の変動表示を行った後に前記当否判定結果に対応する図柄態様を停止表示する図柄変動表示を行う図柄表示手段と、前記図柄表示手段に特定の図柄態様が停止表示した後で特別遊技状態に制御する遊技状態制御手段と、前記始動情報記憶手段に記憶されている始動情報に基づく図柄変動表示の実行よりも前に、該始動情報に基づいて特定の当否判定結果が導出されるかどうかの事前予告表示を実行可能な事前予告手段と、前記当否判定結果に基づき前記当否判定手段が前記特定の当否判定結果を導出するかどうかを予告する予告表示を実行可能な予告手段と、を備えた遊技台であって、前記予告報知の前面側に前記事前予告表示を実行可能な表示手段を備え、前記事前予告表示は前記予告表示における信頼度を示唆する部分の少なくとも一部を隠し、前記予告表示は、文字画像及びキャラクタ画像の少なくとも一方を含んで構成したことを特徴とする遊技台。
（付記１３）付記１２に記載の遊技台であって、前記予告表示は、前記文字画像及び前記キャラクタ画像の少なくとも一方で前記信頼度を示唆する部分を含んで構成したことを特徴とする遊技台。